(57)【要約】【課題】電子書籍を閲覧するため、ページの一時的な戻り、進み動作を行う際に、これまでのような画面のボタンの押下や、操作部を使用したしおりの作成、戻り操作ではなく、しおり付けと、一時的な戻り動作を、実際の本をめくるように簡単かつ迅速に行うことのできる電子書籍表示装置を提供することを目的とする。【解決手段】タッチパネル１０２において、右手の指１１１をスライドさせる前、つまり１１１ａの位置にあるときに、左手の指１１２で「らりるれろ」の表示位置１２２ａ近傍の１１２ａの位置を押さえると、１１１ａと１１２ａの位置を検知点として検知し、さらに２点検知であることを判定することにより、１１２ａがしおり位置として設定され、押さえている間はしおり位置が維持される。【選択図】図１
2012008676.tif 000002
【特許請求の範囲】
【請求項１】
書籍コンテンツを表示する表示手段と、
前記表示手段に重畳され、指またはペンの接触による２点検知機能を有するタッチ入力手段と、
前記書籍コンテンツを表示する際、前記タッチ入力手段が２点を同時に検知した場合、いずれかの１点が前記書籍コンテンツのしおり位置に設定されることを特徴とする電子書籍表示装置。
【請求項２】
前記タッチ入力手段に接触させた指またはペンのスライド動作により、前記書籍コンテンツの行送りまたはページ送りを行うことを特徴とする請求項１記載の電子書籍表示装置。
【請求項３】
前記タッチ入力手段が２点を同時に検知し、所定の固定条件を満たしたとき、いずれかの１点が前記書籍コンテンツのしおり位置に設定されることを特徴とする請求項１記載の電子書籍表示装置。
【請求項４】
前記タッチ入力手段が２点を同時に検知後、数回のサンプリング検知を行い、座標位置の変化がないことを固定条件とすることを特徴とする請求項３記載の電子書籍表示装置。
【請求項５】
設定されたしおり位置に接触させた指またはペンが接触中はしおり位置が維持され、非接触になったときにしおり位置が解除されることを特徴とする請求項１記載の電子書籍表示装置。
【請求項６】
設定されたしおり位置に接触させた指またはペンをスライド動作させることにより、前記書籍コンテンツのしおり位置の内容を表示することを特徴とする請求項５記載の電子書籍表示装置。
【請求項７】
多点検知を用いて、複数のしおり位置を設定することを特徴とする請求項１乃至６のいずれかに記載の電子書籍表示装置。
【発明の詳細な説明】
【技術分野】
【０００１】
本発明は、電子化された書籍を表示するための電子書籍表示装置に関するものである。
【背景技術】
【０００２】
電子書籍等を閲覧するための電子書籍表示装置は、略薄箱状に形成された筐体に、ＬＣＤ（Ｌｉｑｕｉｄ  Ｃｒｙｓｔａｌ  Ｄｉｓｐｌａｙ）等の表示部が設けられているとともに、表示部に隣接して操作部が設けられていることが多い。
【０００３】
電子書籍の情報は、筐体に内蔵された記憶部（ＲＡＭ、ＨＤＤ等）に格納されて読み取られるか、あるいは汎用の記憶媒体（メモリカード等）に格納され、筐体に設けられた挿入部に記憶媒体を挿入、電気的に接続することにより読み取られる。
【０００４】
この電子書籍表示装置は、例えば電子書籍の１ページ分あるいは見開き２ページ分の情報が表示部にイメージとして表示され、使用者が表示画面上や表示画面の近傍の操作部を操作することにより、電子書籍のページ送りあるいはページ戻りが順次行われる。
【０００５】
また、従来の電子書籍のコンテンツを表示する装置やソフトウェアの中には、しおりを設定したページの先頭の所定の文字数の範囲内の文字列を一覧にして表示できるものがある。ユーザは、表示画面上や表示画面の近傍の操作部のボタンを操作し、その一覧の中から所望のしおりを選択することにより、選択したしおりが設定されているページが表示され、そこから電子書籍のコンテンツを読み始めることができる。
【０００６】
図７は特許文献１に開示された電子表示装置を示す斜視図である。
【０００７】
電子表示装置１０は、筐体１１と、筐体１１の表面１１Ａに設けられた略長方形で縦長使いの表示部１２と、筐体１１の把持部１３に設けられた操作部１４と、表示部１２に表示させる情報を格納する記憶部１５と、表示部１２に情報を表示させる制御部１６とを備え、操作部１４が操作されることにより制御部１６が表示部１２の表示を切り換えるように構成されている。
【０００８】
操作部１４は、表示部１２の天地方向（長手方向）に対して平行な方向に沿う第１摺接面２１を備え、第１摺接面２１に隣接する第２〜第４の摺接面２２〜２４を一定間隔をおいて上（天）から下（地）に向けて順に備える。
【０００９】
以上のように構成された電子表示装置に電子書籍を表示させる場合、電子表示装置１０の電源をオンにして、表示部１２にメニューを表示させ、操作部１４の第１摺接面２１を操作して、メニューのなかから「書籍」を選択し、第３摺接面２３を操作して「書籍」を決定する。
【００１０】
電子表示装置１０にメモリーカードを挿入した後、第３摺接面２３を操作して「書籍」の情報を決定すると、表示部１２に複数の「作品名」が表示され、第１摺接面２１を操作して所望の「作品名」を選択し、第３摺接面２３を操作して決定する。
【００１１】
表示部１２に、作品名が表示されるとともに、「読む」、「目次」、「書誌」および「しおり」が表示され、第１摺接面２１を操作して、「読む」を選択すると、表示部１２に作品の内容が表示される。
【００１２】
ページをめくる際は、第２摺接面２２を、表示部１２の天地方向に対して直交する方向に沿わせ、指を右側から左側方向に摺接させることで、摺接方向に準じてページを右側から左側方向に送ることができる。また、指を左側から右側方向に摺接させることで、ページを左側から右側方向に送ることができる。
【００１３】
これにより、あたかも紙の書籍をめくるような直感的な操作性が得られる。
【００１４】
また、表示部１２に表示される「しおり」を決定すると、表示部１２にしおりとして、「しおり付け」および「一覧」が表示され、第１摺接面２１を操作して、「しおり付け」および「一覧」のなかから、「しおり付け」を選択し、第３摺接面２３を操作して「しおり付け」を決定することにより、表示部１２にしおり付けの内容が表示される。
【先行技術文献】
【特許文献】
【００１５】
【特許文献１】特開２００７−１８０９５号公報
【発明の概要】
【発明が解決しようとする課題】
【００１６】
ところで、一般に紙の書籍の場合、一時的に現在読んでいる箇所以前や以後のページを確認する際に、手又はしおりを挟むことにより、以前、以後のページを確認し、確認後手又はしおりの場所に戻すという作業を多く利用する。
【００１７】
従って、電子書籍を閲覧する電子書籍表示装置においても、感覚的にあたかも紙の書籍で行うように、以前のページ確認やしおり位置までページ戻りやページ送りを行える操作が望ましい。
【００１８】
一般に電子書籍表示装置では、ボタンの押下などにより表示の切り替えを行うが、実際に自分が操作したという実感が乏しく感覚的に操作することが出来なかった。
【００１９】
上述の特許文献１に記載された電子表示装置は、ページめくりなどについては、紙の書籍をめくるような直感的な操作性が得られるが、しおり付けは、第１摺接面２１を操作して、「しおり付け」を選択し、第３摺接面２３を操作して「しおり付け」を決定するようにするため、紙の書籍のような直感的な操作性にはならない。
【００２０】
また、ここには記載されていないが、しおり付けした位置にページ戻りやページ送りを行うには、表示されたしおりの一覧から選択し、ボタン等で確定することにより、所望のしおり位置のページを表示するという操作が推測され、しおり位置までページ戻りやページ送りを迅速に行えないため、紙の書籍の場合のようなしおり感覚を得ることはできない。
【００２１】
本発明は、上記のような課題を解決するためになされたものであり、電子書籍を閲覧するため、ページの一時的な戻り、進み動作を行う際に、これまでのような画面のボタンの押下や、操作部を使用したしおりの作成、戻り操作ではなく、しおり付けと、一時的な戻り動作を、実際の本をめくるように簡単かつ迅速に行うことのできる電子書籍表示装置を提供することを目的とする。
【課題を解決するための手段】
【００２２】
本発明は、上記従来の課題を解決するもので、書籍コンテンツを表示する表示手段と、表示手段に重畳され、指などでタッチ入力するタッチ入力手段とを備え、タッチ入力手段は２点検知機能を有し、書籍コンテンツを表示する際、１点のみのタッチ入力でページめくり操作を行い、続けてタッチ入力した時、表示されているページにしおりが設定されることを特徴とする。
【００２３】
さらにその状態を続けることにより、しおり位置が維持され、その間はいつでも迅速にしおり位置に戻すことができる。
【００２４】
これにより、実際の本に行う感覚で、しおり付けおよびしおり位置までの戻りを、簡単、迅速に行うことができる。
【発明の効果】
【００２５】
電子書籍の閲覧をするため、ページの一時的な戻り、進み動作をする際に、ボタンの押下や、操作部を使用することなく、しおり付けと、一時的な戻り動作を、実際の本をめくるように簡単かつ迅速に行うことができる。
【図面の簡単な説明】
【００２６】
【図１】本発明の一実施の形態の電子書籍表示装置の表示画面を模式的に示した図
【図２】同電子書籍表示装置の構成を示すブロック図
【図３】同電子書籍表示装置により実現される機能の構成の例を示す図
【図４】同電子書籍表示装置のしおり位置設定方法を説明するためのフローチャート
【図５】同電子書籍表示装置のしおり設定後の処理を説明するためのフローチャート
【図６】同電子書籍表示装置でしおり位置に戻す操作について説明する表示画面を模式的に示した図
【図７】従来の電子表示装置を示す斜視図
【発明を実施するための形態】
【００２７】
以下、本発明の電子書籍表示装置の実施の形態について図を用いて説明する。
【００２８】
（実施の形態１）
図１は、本発明の一実施の形態の電子書籍表示装置の表示画面を模式的に示した図である。
【００２９】
図１において、電子書籍表示装置１００は、表示面に表示部１０１と、その前面にタッチパネル１０２が重畳されて設けられている。
【００３０】
表示部１０１は、例えば、ＬＣＤなどにより構成され、電子書籍のコンテンツや各種の操作画面等を表示する。
【００３１】
タッチパネル１０２は、表示部１０１上に重畳して使用し、電極は透明に形成され、指やペンを接触させて表示部１０１に表示される電子書籍のコンテンツや各種画面の操作を行う。
【００３２】
図２は、電子書籍表示装置１００の構成を示すブロック図である。電子書籍表示装置１００は、表示部１０１、ＣＰＵ（Ｃｅｎｔｒａｌ  Ｐｒｏｃｅｓｓｉｎｇ  Ｕｎｉｔ）２０１、画像処理部２０２、ＲＯＭ（Ｒｅａｄ  Ｏｎｌｙ  Ｍｅｍｏｒｙ）２０３、ＲＡＭ（Ｒａｎｄｏｍ  Ａｃｃｅｓｓ  Ｍｅｍｏｒｙ）２０４、タッチパネル処理部２０５、入力部２０６、出力部２０７、通信部２０８、およびドライブ２０９から構成される。
【００３３】
ＣＰＵ２０１ 、画像処理部２０２ 、ＲＯＭ２０３、およびＲＡＭ２０４は、バス２１１を介して相互に接続され、表示部１０１、入力部２０６、出力部２０７、通信部２０８、および、ドライブ２０９は、入出力インタフェース２１２を介して相互に接続される。バス２１１および入出力インタフェース２１２は、相互に接続される。
【００３４】
ＣＰＵ２０１は、入出力インタフェース２１２およびバス２１１を介して、ユーザが入力部２０６を用いて入力した処理の指示やデータの入力を受け、入力された処理の指示などに基づいて、ＲＯＭ２０３に記憶されているプログラム、または、タッチパネル処理部２０５からＲＡＭ２０４にロードされたプログラムに従って各種の処理を実行する。
【００３５】
画像処理部２０２は、例えば、ＤＳＰ（Ｄｉｇｉｔａｌ  Ｓｉｇｎａｌ  Ｐｒｏｃｅｓｓｏｒ）などのプロセッサにより構成され、ＣＰＵ２０１の制御の基に、表示部１０１に表示させる画像データを生成する。
【００３６】
画像処理部２０２は、生成した画像データを、バス２１１および入出力インタフェース２１２を介して、表示部１０１に供給し、表示部１０１に画像データに基づく画像を表示させる。
【００３７】
ＲＯＭ２０３は、ＣＰＵ２０１が使用するプログラムや演算用のパラメータのうちの基本的に固定のデータを格納する。
【００３８】
ＲＡＭ２０４は、ＣＰＵ２０１の実行において使用するプログラムや、その実行において適宜変化するパラメータやデータを格納する。
【００３９】
タッチパネル処理部２０５は、タッチパネル１０２への入力を検知し、検知データをＣＰＵ２０１に送信する。ＣＰＵ２０１は、このデータを基に画像処理部２０２で画像処理を行い、表示部１０１に映像を出力する。
【００４０】
入力部２０６は、図１のタッチパネル１０２や、マウス、キーボード、または、ポインティングデバイス（例えば、スタイラスペンなど）などにより構成され、ユーザが電子書籍表示装置１００に各種の指令を入力するとき操作される。
【００４１】
出力部２０７は、例えば、スピーカなどにより構成され、ＣＰＵ２０１により処理される音声などを出力する。
【００４２】
通信部２０８は、有線通信または無線通信により、インターネットに接続して、インターネットに接続されているサーバ等と通信を行う。
【００４３】
ドライブ２０９は、必要に応じて入出力インタフェース２１２に接続される。ドライブ２０９は、光ディスク、光磁気ディスク、あるいは半導体メモリなどよりなるリムーバブルメディアが適宜接続され、リムーバブルメディアから読み出した各種のデータ（例えば、書籍データまたは辞書データなど）を、電子書籍表示装置１００の各部に供給する。
【００４４】
図３は、本実施の形態における、ＣＰＵ２０１が所定のプログラムを実行することにより実現される機能の構成の例を示すブロック図である。
【００４５】
図３では、タッチパネル処理部２０５と画像処理部２０２において、しおり位置設定、および、しおり位置情報保持を含む機能が実現される。
【００４６】
画像処理部２０２は、表示部１０１の各種の画面の表示を制御する。画像処理部２０２は、コンテンツ表示制御部３０５を含むように構成される。
【００４７】
コンテンツ表示制御部３０５は、入出力インタフェース２１２およびバス２１１を介して、ユーザが入力部２０６を用いて入力した処理の指示やデータの入力を受け、電子書籍のコンテンツの表示を制御する。
【００４８】
具体的には、コンテンツ表示制御部３０５は、ユーザの指示に基づいて、バス２１１および入出力インタフェース２１２を介して、タッチパネル１０２によって操作された動作を検知し、電子書籍のコンテンツを表示させるための表示データを生成する。コンテンツ表示制御部３０５は、生成した表示データをバス２１１を介して画像処理部２０２に供給する。
【００４９】
タッチパネル処理部２０５内の検知部３０１では、画面のタッチパネルの値（電気信号、圧力の変化等）を検知し、画像処理部２０２の制御をおこなう。２点検知部３０２は、タッチパネル１０２が２点感知された際に、後述するフローチャートに従って、２点中の１点をしおり位置設定部３０３でしおり位置として設定し、しおり位置情報保持部３０４でしおり位置情報を保持しておく。このしおり位置は設定により文字だけではなく単語、行、ページ単位でのしおり位置の保持が可能である。
【００５０】
次に、電子書籍表示装置１００により実行される処理を説明する。
【００５１】
まず、図４のフローチャートを参照して、電子書籍表示装置１００により実行されるしおり設定処理を説明する。なお、この処理は、例えば、表示部１０１に電子書籍のコンテンツが表示されている場合、タッチパネル１０２が押されたことを検知し、入出力インタフェース２１２およびバス２１１を介して、入力部２０６からしおり位置設定部３０３に情報が供給されたとき開始される。
【００５２】
ステップＳ１において、タッチパネル処理部２０５の検知部３０１でタッチパネルの入力の検知を行う。
【００５３】
ステップＳ２において、２点検知部３０２で、タッチパネルの検知点が２点あるかどうかを検知する。具体的には、静電容量式（Ｐｒｏｊｅｃｔｉｖｅ）タッチパネルによって、画面上で２点検知する。なお、タッチパネルは静電容量式に限るものではなく、抵抗膜方式でもよい。
【００５４】
タッチパネルを検知した際に２点検知がない場合はしおり設定状態には入らない。２点検知された際には、ステップＳ４でしおり位置を決定する。
【００５５】
ステップＳ３、Ｓ４において、２点の位置情報を検知し、２点中１点の検知位置が固定されているかの確認をする。固定の方法としては、数回のサンプリング検知を行い、座標位置の変化がないことを固定条件とする。なお固定位置判別方法としてはこの方法だけに限らない。
【００５６】
この固定位置がしおり位置設定部３０３でしおり位置として設定され、この固定位置の検知が無くなるまで、しおり位置情報保持部３０４でしおり情報として保持される。
【００５７】
また、２点検知された際に、２点とも固定位置で動かない場合や、２点とも動き続けている場合はしおり位置設定状態には入らない。
【００５８】
次に、図５のフローチャートを参照して、電子書籍表示装置１００により実行される電子書籍しおり設定後の処理について説明する。
【００５９】
ステップＳ１１において、図４で設定完了したしおり位置の検知点をＡ、もう一方の検知点をＢとした際に、タッチパネル処理部２０５において検知点Ａが保持されているかどうかを確認する。検知点Ａが保持されていなければ、しおり位置に設定した情報は破棄される。
【００６０】
ステップＳ１２において、タッチパネル処理部２０５で検知点Ｂの動作の確認を行う。検知点Ｂで所定の動作がされている場合、検知点Ｂの動作に合わせて、画像処理部２０２で処理を行い、表示部１０１に所定動作に合わせた画像を表示させる。
【００６１】
ステップＳ１３において、タッチパネル処理部２０５で検知点Ａが保持されているかを確認する。検知点Ａが保持されていなければ、しおり位置に設定した場所は破棄される。
【００６２】
ステップＳ１４において、タッチパネル処理部２０５で検知点Ｂが無くなったかどうかを検知する。この際、検知点Ｂが無くなっていなければ、Ｓ１１に戻り、再度検知点Ｂの動作に合わせて画面の更新を行う。
【００６３】
ステップＳ１５において、タッチパネル処理部２０５において検知点Ａが保持されているかどうかを確認する。検知点Ａが保持されていなければ、しおり位置に設定した場所は破棄される。
【００６４】
ステップＳ１６において、タッチパネル処理部２０５で検知点Ｂが再度検知されていないかどうかを確認する。もし検知点Ｂが再度出現している場合はＳ１１に戻り、再度検知点Ｂの動作に合わせて画面の更新を行う。
【００６５】
ステップＳ１７において、タッチパネル処理部２０５で検知点Ａで所定の動作が行われるかどうかの検知を行う。ここで所定の動作が行われなければ、保持しているしおり情報を破棄して、現在の画面を表示する。ここで所定の動作が行われれば画像処理部２０２で処理を行い、表示部１０１にしおり位置に設定した画面を表示する。
【００６６】
次に、図１を用いて、電子書籍表示装置１００により実行される電子書籍しおり処理の一例を示す。
【００６７】
図１は、電子書籍表示装置１００の表示面に表示部１０１とその前面にタッチパネル１０２が配置されている状態で、タッチパネル１０２を右手の指１１１、左手の指１１２で動作させた状態を示している。
【００６８】
表示部１０１には、１２１ａの位置に「あいうえお」、１２２ａの位置に「らりるれろ」が表示されている。
【００６９】
指１１１をタッチパネル１０２に接触させて１１１ａから１１１ｂの位置にスライドさせた際に、タッチパネル処理部２０５でスライド動作を判定し、ＣＰＵ２０１、画像処理部２０２を介してスライドに合わせて、表示部１０１に表示された画面をスライドさせる。
【００７０】
これにより「あいうえお」、「らりるれろ」の表示がそれぞれ１２１ｂ、１２２ｂの位置に移動する。
【００７１】
なお、表示の移動量は指１１１のスライド量と同じでなくてもよく、少しのスライド量で表示の移動量を大きくするようにしても良い。
【００７２】
また、本実施の形態では指を使用しているが、ペンなど検知できるものであればすべてに適応できる。
【００７３】
しおり位置を設定する場合は、タッチパネル１０２において、右手の指１１１をスライドさせる前、つまり１１１ａの位置にあるときに、左手の指１１２で「らりるれろ」の表示位置１２２ａ近傍の１１２ａの位置を押さえる。
【００７４】
このとき、タッチパネル処理部２０５の検知部３０１は、１１１ａと１１２ａの位置を検知点として検知し、さらに２点検知部３０２が２点検知であることを判定する。
【００７５】
図３のフローチャートで示したように、２点検知があると、検知点１１１ａ、検知点１１２ａのどちらかをしおり位置設定部３０３でしおり位置とする。
【００７６】
今回は検知点１１２ａを固定としてしおり位置とする。なお、検知点１１１ａをしおり位置にしても同様の効果を有するが、後から接触した方とした方がより自然であり、好ましい。
【００７７】
しおり位置が決定されると、しおり位置情報保持部３０４に検知点３０１下にある表示部１０１上の行「らりるれろ」の位置１２２ａがしおり位置情報として格納され保持される。
【００７８】
しおり位置を保持するには、左手の指１１２をタッチパネル１０２から離さず、１１２ａの位置を押さえたままにしておく必要がある。
【００７９】
しおり位置情報を保持した状態で、上述のように、指１１１を１１１ａから１１１ｂの位置にスライドさせると、タッチパネル処理部２０５でスライド動作を判定し、スライドに合わせて、画像処理部２０２が画面表示をスライドさせる。この時点で指１１２をタッチパネル１０２から離せばしおり位置情報は破棄される。
【００８０】
なお、図１では右から左へのスライド動作を示しているが、逆方向、上下方向でも同様の操作が可能である。
【００８１】
次にスライドした画面表示をしおり位置に戻す操作について説明する。
【００８２】
図６は、しおり位置情報を保持した状態で、右手の指１１１をタッチパネル１０２から離した状態を示す図である。
【００８３】
図１のように指１１１をスライド動作させて画面表示をスライドさせ、タッチパネル１０２上の１２２ａの位置を指１１２で押さえて固定させた状態で、指１１１をタッチパネル１０２から離しても、しおり位置情報は保持されている。
【００８４】
この状態で再度指１１１がタッチパネル１０２に触れて、スライド動作を継続させることができる。
【００８５】
図６において、画面表示をスライドさせ、「あいうえお」、「らりるれろ」の表示がそれぞれ１２１ｂ、１２２ｂの位置にあるとき、指１１１をタッチパネル１０２から離し、指１１２をタッチパネル１０２から離さないまま、逆方向の１１２ｂの位置に少しスライドさせると、保持されたしおり位置情報保持部３０４からしおり位置を読み出し、ＣＰＵ２０１、画像処理部２０２を介して表示部１０１にしおり位置の画像（「あいうえお」、「らりるれろ」の表示がそれぞれ１２１ａ、１２２ａの位置）を表示させる。
【００８６】
このとき、指１１２のスライド量はいくらでも構わない。また、スライド方向は逆であっても良い。
【００８７】
なお、本実施の形態では、指によるスライド動作での例を示したが、スライド動作以外の方法でタッチパネル制御を行うようにしてもよい。
【００８８】
また、本実施の形態では、しおりの設定、しおり位置に戻す操作を分りやすくするため、行単位でのしおり位置保持方法の例を示したが、単語やページ単位での制御を行うようにしてもよいことは言うまでもない。
【００８９】
このように、電子書籍の閲覧の際、ページの一時的な戻り、進み動作を行う際に、ボタンの押下や、操作部を使用することなく、しおり付けと、一時的な戻り動作を、実際の本をめくるように簡単かつ迅速に行うことができる。
【００９０】
なお、本実施の形態では、２点検知でしおり位置設定を行ったが、多点検知を用いて同様の制御を行えば、複数のしおり位置を設定することができ、それぞれのしおり位置から任意の位置を呼び出すことが可能である。
【００９１】
例えば、指の数だけしおり位置を設定し、戻したいしおり位置の指のみをスライドすれば、簡単かつ迅速にその位置の文章を表示させることができる。
【産業上の利用可能性】
【００９２】
本発明は、電子化された書籍を表示するための電子書籍表示装置に適用でき、特に、表示画面にタッチパネルが重畳され、書籍サイズに小型化された電子書籍表示装置等に有用である。
【符号の説明】
【００９３】
１００  電子書籍表示装置
１０１  表示部
１０２  タッチパネル
１１１、１１２  指
１１１ａ、１１１ｂ、１１２ａ、１１２ｂ  指の位置
１２１ａ、１２１ｂ、１２２ａ、１２２ｂ  表示位置
２０１  ＣＰＵ
２０２  画像処理部
２０３  ＲＯＭ
２０４  ＲＡＭ
２０５  タッチパネル処理部
２０６  入力部
２０７  出力部
２０８  通信部
２０９  ドライブ
２１１  バス
２１２  入出力インタフェース
３０１  検知部
３０２  ２点検知部
３０３  しおり位置設定部
３０４  しおり位置情報保持部
３０５  コンテンツ表示制御部
【図１】
2012008676.tif 000003
【図２】
2012008676.tif 000004
【図３】
2012008676.tif 000005
【図４】
2012008676.tif 000006
【図５】
2012008676.tif 000007
【図６】
2012008676.tif 000008
【図７】
2012008676.tif 000009